(57)【特許請求の範囲】
【請求項１】
壁面に沿って取付けられる大きさの異なる２本の冷媒管保護ダクトを接続して、該ダクト内に収容保護されている冷媒管の一部を壁内側に分岐配管させるための分岐接続具であって、
前記分岐接続具は、第１冷媒管保護ダクトを接続可能な第１接続部が設けられた第１接続具単体と、該第１接続具単体に対して接続されて、前記第１冷媒管保護ダクトより小さな冷媒管収容空間を有する第２冷媒管保護ダクトを接続可能な第２接続部が設けられた第２接続具単体とから成り、
前記第１接続具単体には、内部に収容保護された冷媒管の一部を壁内側に分岐配管可能にするための開口部が下面に設けられていることを特徴とする冷媒管保護ダクトの分岐接続具。
【請求項２】
前記第１接続具単体における前記第１接続部と反対側の端部には、前記第１冷媒管保護ダクトが接続可能な第３接続部が設けられていることを特徴とする請求項１に記載の冷媒管保護ダクトの分岐接続具。
【請求項３】
前記分岐接続具を構成する第１及び第２の各接続具単体は、断面Ｕ字状のカバー体のみで構成されていることを特徴とする請求項１又は２に記載の冷媒管保護ダクトの分岐接続具。
【請求項４】
壁面に沿って取付けられる大きさの異なる２本の冷媒管保護ダクトを接続して、該ダクト内に収容保護されている冷媒管の一部を壁内側に分岐配管させるための分岐接続具であって、
前記分岐接続具は、断面Ｕ字状のカバー体のみで構成されて、
前記分岐接続具の一端部には、第１冷媒管保護ダクトを接続可能な第１接続部が設けられていると共に、その他端部には、前記第１冷媒管保護ダクトより小さな冷媒管収容空間を有する第２冷媒管保護ダクトを接続可能な第２接続部が設けられ、
前記第１冷媒管保護ダクト内に収容保護された冷媒管の一部を壁内側に分岐配管可能にするための開口部が下面に設けられていることを特徴とする冷媒管保護ダクトの分岐接続具。
【請求項５】
前記分岐接続具の両側壁部には、壁面に対して自身を固定するための固定部が該側壁部から外方に突出することなく、上面から下面に向けて設けられていることを特徴とする請求項４に記載の冷媒管保護ダクトの分岐接続具。
【発明の詳細な説明】
【０００１】
【発明の属する技術分野】
本発明は、壁面に沿って取付けられる大きさの異なる２本の冷媒管保護ダクトを接続して、該ダクト内に配管保護されている冷媒管の一部を壁内側に分岐配管させるための冷媒管保護ダクトの分岐接続具に関するものである。
【０００２】
【従来の技術】
上記した分岐接続具は、例えば、建物の１階と２階との間に冷媒管を通し配管して、その途中において、冷媒管の一部を壁内側に分岐配管させる場合等に使用されている。従来の分岐接続具としては、実開平５−４０６９５号公報に開示されているものが知られており、この分岐接続具は、上階側と下階側とに同じ大きさの冷媒管保護ダクト（以下、単に「保護ダクト」と略す）が使用されている場合において、この同じ大きさの保護ダクトを接続するものである。よって、選択する保護ダクトの大きさは、１階と２階との各冷媒管を一本状にまとめて配管保護するための下階側のものを基準にせざるを得ない。このため、上階側の保護ダクトは、収容される冷媒管の量に比較して大き過ぎることになって、不経済である。この問題は、階数の多い高い建物になるに従って、顕著となる。
【０００３】
また、上記した分岐接続具は、壁面に固定される基台と、これに覆蓋されるカバー体との２部品から構成されているため、その施工が面倒であると共に、製作コストも嵩むという問題があった。また、上記保護ダクトは、２部品からなる該分岐接続具と同様に、壁面に固定される基台と、これに覆蓋されるカバー体とで構成されていて、該保護ダクトの端部は、分岐接続具の内部に入り込んだ状態で接続されるために、保護ダクトの基台と壁面との間に隙間が形成され、この隙間が外観を悪くするという問題もあった。
【０００４】
【発明が解決しようとする課題】
本発明は、大きさの異なる保護ダクトを接続可能にすることにより建物の各階部分で大きさの異なる保護ダクトの使用を可能にして、その施工性と経済性との双方が高められる分岐接続具の提供を課題としている。
【０００５】
【課題を解決するための手段】
この課題を解決するための請求項１の発明は、壁面に沿って取付けられる大きさの異なる２本の冷媒管保護ダクトを接続して、該ダクト内に収容保護されている冷媒管の一部を壁内側に分岐配管させるための分岐接続具であって、前記分岐接続具は、第１冷媒管保護ダクトを接続可能な第１接続部が設けられた第１接続具単体と、該第１接続具単体に対して接続されて、前記第１冷媒管保護ダクトより小さな冷媒管収容空間を有する第２冷媒管保護ダクトを接続可能な第２接続部が設けられた第２接続具単体とから成り、前記第１接続具単体には、内部に収容保護された冷媒管の一部を壁内側に分岐配管可能にするための開口部が下面に設けられていることを特徴としている。請求項１の発明によれば、第１及び第２の各接続具単体を組み合わせて使用することにより、大きさの異なる保護ダクトの接続が可能となると同時に、第２接続部の大きさの異なる複数種類の第２接続具単体を製作準備しておくことにより、接続される大小２本の保護ダクトのうち小さな方の保護ダクトのサイズとして、複数種類からの選択が可能となる。
【０００６】
また、請求項２の発明は、請求項１の発明において、前記第１接続具単体における前記第１接続部と反対側の端部には、前記第１冷媒管保護ダクトが接続可能な第３接続部が設けられていることを特徴としている。請求項２の発明によれば、請求項１の作用効果に加えて、第１接続具単体を単独で使用することにより、同じ大きさの保護ダクトの接続が可能となる。また、請求項３の発明は、請求項１又は２の発明において、前記分岐接続具を構成する第１及び第２の各接続具単体は、断面Ｕ字状のカバー体のみで構成されていることを特徴としている。請求項３の発明によれは、請求項１又は２の発明の作用効果に加えて、壁面に保護ダクトを取付けて、該保護ダクト内に冷媒管を収容配管させた状態において、接続すべき２本の保護ダクトの各端部に、カバー体のみからなる分岐接続具を覆い被せるのみで、２本の保護ダクトが接続できるので、その接続作業が容易となると共に、保護ダクトを構成する基台の端部（接続部）が壁面に密着していて、浮き上がらない（壁面との間に隙間が形成されない）利点がある。
【０００７】
また、請求項４の発明は、壁面に沿って取付けられる大きさの異なる２本の冷媒管保護ダクトを接続して、該ダクト内に収容保護されている冷媒管の一部を壁内側に分岐配管させるための分岐接続具であって、前記分岐接続具は、断面Ｕ字状のカバー体のみで構成されて、前記分岐接続具の一端部には、第１冷媒管保護ダクトを接続可能な第１接続部が設けられていると共に、その他端部には、前記第１冷媒管保護ダクトより小さな冷媒管収容空間を有する第２冷媒管保護ダクトを接続可能な第２接続部が設けられ、前記第１冷媒管保護ダクト内に収容保護された冷媒管の一部を壁内側に分岐配管可能にするための開口部が下面に設けられていることを特徴としている。請求項４の発明によれば、請求項３の発明の独自の作用効果と同一の作用効果が奏される。
また、請求項５の発明は、請求項４の発明において、前記分岐接続具の両側壁部には、壁面に対して自身を固定するための固定部が該側壁部から外方に突出することなく、上面から下面に向けて設けられていることを特徴としている。請求項５の発明によれば、請求項４の発明の作用効果に加えて、固定部が側壁部の外側に突出していないので、保護ダクトが壁際等に近接して配設されていても、分岐接続具を壁際等に近接させて固定できる。
【０００８】
【発明の実施の形態】
以下、実施例を挙げて、本発明を更に詳細に説明する。図１は、本発明に係る分岐接続具Ｊを用いて大きさの異なる２本の保護ダクトＤ1,Ｄ2 を接続した状態の斜視図であり、図２は、同じく２本の保護ダクトＤ1,Ｄ2 の接続部分の拡大斜視図であり、図３は、２本の保護ダクトＤ1,Ｄ2 を接続する前の状態を示す斜視図であり、図４は、分岐接続具Ｊを構成する第１接続具単体Ｊ1 を底面の側から見た斜視図である。図１に示されるように、建物の１階と２階との室内側には、それぞれエアコンの室内機１が取付けられ、屋外には、エアコンの室外機２が建物の壁面Ｗａに近接して設置されている。また、建物の壁面Ｗａには、冷媒管収容空間の異なる大小２本の各保護ダクトＤ1,Ｄ2 が直線状になって取付けられて、保護ダクトＤ1 の上端部と保護ダクトＤ2 の下端部とは、分岐接続具Ｊを介して接続され、各保護ダクトＤ1,Ｄ2 内には、それぞれ所定数の冷媒管Ｐが配管収容されている。建物の１階部分に取付けられた大きな保護ダクトＤ1 には、２つの室内機１にそれぞれ接続される多数の冷媒管Ｐが収容され、建物の２階部分に取付けられた小さな保護ダクトＤ2 には、２階の室内機１のみに接続される半数の冷媒管Ｐが収容されている。
【０００９】
また、各保護ダクトＤ1,Ｄ2 は、ビス（図示せず）を介して壁面に密着状態で固定される基台３a,３b と、該基台３a,３b に対して嵌着状態で覆蓋されるカバー体４a,４b とからなって、両者で形成される空間部が冷媒管収容空間５a,５b （図５参照）となっている。なお、図１において、１０は、２階の室内機１の部分から室外に引き出された冷媒管Ｐを覆っている端末カバーを示す。
【００１０】
次に、大小２本の各保護ダクトＤ1,Ｄ2 を接続して、その内部に収容されている冷媒管Ｐを分岐配管可能にするための分岐接続具Ｊについて説明する。この分岐接続具Ｊは、各保護ダクトＤ1,Ｄ2 の接続方向に沿って２分割された第１及び第２の各接続具単体Ｊ1,Ｊ2 で構成される。第１接続具単体Ｊ1 は、図３ないし図５に示されるように、その全長に亘ってほぼ同一であるＵ字状の横断面形状をを有していて、その一端部は、保護ダクトＤ1 と接続される第１接続部Ｃ1 となっており、その他端部は、第２接続具単体Ｊ2 と接続されると共に、保護ダクトＤ1 が接続可能である第３接続部Ｃ3 となっている。
【００１１】
第１接続具単体Ｊ1 の内周面における第１接続部Ｃ1 の部分には、保護ダクトＤ1 の端面を当接させるための当接突条６がＵ字状となって設けられ、同じく第１接続具単体Ｊ1 の内周面における第３接続部Ｃ3 の部分には、第２接続具単体Ｊ2 に設けられた後述の嵌合突起１５a,１５b と嵌合される嵌合溝７a,７b が設けられている。この嵌合溝７a,７b は、横断面形状がＵ字状をした第１接続具単体Ｊ1 の天板部８と両側壁部９とにそれぞれ設けられている。また、第１接続具単体Ｊ1 の両側壁部９には、壁面に対して自身を固定するための固定部１１が、該側壁部９から外方に突出することなく設けられている。即ち、図３ないし図７に示されるように、第１接続具単体Ｊ1 の両側壁部９には、横断面がＵ字状となった凹部１２が上下方向に沿って設けられて、該凹部１２の下端部には、横断面がＵ字状をした周壁部１２ａと接続する平板状の固定板部１２ｂが設けられ、該固定板部１２ｂにビス孔１２ｃが穿孔されて、前記固定部１１を形成している。
【００１２】
一方、第２接続具単体Ｊ2 は、前記第１接続具単体Ｊ1 の第３接続部Ｃ3 の部分が外側に覆い被せられて嵌合される嵌合接続部１３と、前記保護ダクトＤ1 よりも冷媒管収容空間の小さい保護ダクトＤ2 が接続される第２接続部Ｃ2 との２つの部分から構成されて、全ての部分において横断面形状がＵ字状となっているが、その大きさが部位によって異なっている。即ち、前記嵌合接続部１３の部分は、冷媒管Ｐの接続方向に沿って同じ大きさになっているが、前記第２接続部Ｃ2 の部分は、その開口端に向かって、その大きさが急激に小さくなっている。前記嵌合接続部１３と前記第２接続部Ｃ2 との境界部には、第１及び第２の各接続具単体Ｊ1,Ｊ2 を嵌合させて一体にした場合に段差が生じないようにするための段差部１４が設けられ、該嵌合接続部１３の外周面には、嵌合突起１５ａ，１５ｂが設けられている。各嵌合突起１５ａ，１５ｂは、断面Ｕ字状をした前記嵌合接続部１３の天板部と側壁部とにそれぞれ設けられている。
【００１３】
そして、上記分岐接続具Ｊを使用して、冷媒管収容空間５a,５b の大きさの異なる２本の保護ダクトＤ1,Ｄ2 を接続するには、以下のようにして行う。まず、保護ダクトＤ1,Ｄ2 の各基台３a,３b を、建物の外壁Ｗの壁面Ｗａの１階と２階の間に直線状にして固定しておいて、各基台３a,３b の内部に冷媒管Ｐを配管して収容させる（図３参照）。この冷媒管Ｐは、２本で１組となっていて、１階の室内機１には、外壁Ｗにおける各基台３a,３b の接続部に設けられた配管孔１６を通して、２本１組の冷媒管Ｐを分岐配管する。このため、保護ダクトＤ1 の基台３ａには、１階用と２階用との計４本の冷媒管Ｐが収容され、保護ダクトＤ2 の基台３ｂには、２階用の２本の冷媒管Ｐが収容される。なお、２本１組となった冷媒管Ｐと一緒になって、１本のドレン管１７が配管されて、計３本の管が束ねられて配管される。
【００１４】
上記したようにして、保護ダクトＤ1,Ｄ2 の各基台３a,３b の内部に冷媒管Ｐを配管して収容すると共に、その途中において、配管孔１６を通して複数本の冷媒管Ｐの一部を分岐配管した後に、保護ダクトＤ1,Ｄ2 の各基台３a,３b にカバー体４a,４b を覆蓋する。そして、図３及び図５に示されるように、分岐接続具Ｊを構成する第２接続具単体Ｊ2 の第２接続部Ｃ2 を、上方の小さな保護ダクトＤ2 の外側に覆い被せた後に、下方の大きな保護ダクトＤ1 と前記第２接続具単体Ｊ2 の嵌合接続部１３との外側に、第１接続具単体Ｊ1 の第１及び第３の各接続部Ｃ1,Ｃ3 をそれぞれ覆い被せると、大きさの異なる２つの保護ダクトＤ1,Ｄ2 が分岐接続具Ｊを介して接続される。最後に、第１接続具単体Ｊ1 に設けられた固定部１１のビス孔１２ｃにビス１８を挿通させて、該ビス１８を外壁Ｗに螺合させると、外壁Ｗに対して分岐接続具Ｊが固定される。また、第１接続具単体Ｊ1 の第３接続部Ｃ3 を第２接続具単体Ｊ2 の嵌合接続部１３の外側に覆い被せると、第１接続具単体Ｊ1 の内周面に設けられた各嵌合溝７a,７b に、第２接続具単体Ｊ2 の外周面に設けられた各嵌合突起１５a,１５b が嵌合されて、両者が保護ダクトＤ1,Ｄ2 の接続方向に沿ってずれなくなる。なお、大きさの異なる各保護ダクトＤ1,Ｄ2 の接続部に分岐接続具Ｊを外嵌して接続する場合において、第２接続具単体Ｊ2 の嵌合接続部１３の外側に第１接続具単体Ｊ1 を予め嵌合しておいて、第１及び第２の各接続具単体Ｊ1,Ｊ2 を一体にして、各保護ダクトＤ1,Ｄ2 の接続部に外嵌させてもよい。
【００１５】
また、断面Ｕ字状の第１接続具単体Ｊ1 の両側壁部９に設けられた固定部１１は、該側壁部９から外方に全く突出することなく、しかも上面から下面に向けて設けられているために、下面の全面が開口した断面Ｌ字状の単体部材であっても、壁面に対して固定可能であり、かつその側方に側壁が存在する壁際等においても、該側壁が障害とならずに固定可能な構造となる。また、図７に示されるように、第１接続具単体Ｊ1 の冷媒管収容空間に対する固定部１１の侵入幅が小さいために、該固定部１１を設けても、分岐接続具Ｊの部分における冷媒管Ｐの収容には殆ど影響しない。
【００１６】
上記実施例の分岐接続具Ｊは、冷媒管Ｐの接続方向に沿って２分割された第１及び第２の各接続具単体Ｊ1,Ｊ2 で構成されていて、各接続具単体Ｊ1,Ｊ2 を組み合わせて、大きさの異なる２本の保護ダクトＤ1,Ｄ2 を接続する例であるが、図８及び図９に示されるように、第１接続具単体Ｊ1 のみを使用して、同じ大きさの２本の保護ダクトＤ1 を接続することもできる。即ち、下方の保護ダクトＤ1 に収容されている多数本の冷媒管Ｐの一部を配管孔１６を通して分岐配管させておいて、第１接続具単体Ｊ1 の両端部の第１及び第３の各接続部Ｃ1,Ｃ3 を、２本の保護ダクトＤ1 の各端部に覆い被せて、ビス１８を介して第１接続具単体Ｊ1 の固定部１１を壁面Ｗａに固定すると、第１接続具単体Ｊ1 を介して同じ大きさの２本の保護ダクトＤ1 が接続される。このように、第１接続具単体Ｊ1 を介して同じ大きさの２本の保護ダクトＤ1 を接続できる利点は、施工業者の在庫状況に応じた施工が可能であることである（保護ダクトＤ1 の在庫しかなくて、即座に施工せざる得ない場合には、これを使用せざるを得ない）。
【００１７】
また、上記実施例の分岐接続具Ｊは、断面Ｕ字状をしたカバー体のみで構成されているため、その下面が全面開口しているが、本発明に係る分岐接続具は、このような単体部材で構成されるものに限られない。例えば、基台と、これに覆蓋されるカバー体とで分岐接続具が構成されて、その両端部が、大きさの異なる保護ダクトを接続可能な接続部になっていて、分岐配管される冷媒管を挿通可能な開口部が前記基台に設けられている構成であってもよい。
【００１８】
なお、分岐接続具Ｊを構成する第１接続具単体Ｊ1 に設けられた上記固定部１１の構造は、下面（底面）が開口されている他の単体構造の部材を壁面等に固定する場合においても適用可能であって、固定部が側壁部の外側に突出していないために、壁際等に近接させて固定できる利点がある。
【００１９】
【発明の効果】
請求項１の発明によれば、第１及び第２の各接続具単体を組み合わせて使用することにより、大きさの異なる保護ダクトの接続が可能となると同時に、第２接続部の大きさの異なる複数種類の第２接続具単体を製作準備しておくことにより、接続される大小２本の保護ダクトのうち小さな方の保護ダクトのサイズとして、複数種類からの選択が可能となる。
【００２０】
請求項４の発明によれば、分岐接続具は断面Ｕ字状のカバー体のみで構成されているため、壁面に保護ダクトを取付けて、該保護ダクト内に冷媒管を収容配管させた状態において、接続すべき２本の保護ダクトの各端部に、カバー体のみからなる分岐接続具を覆い被せるのみで、２本の保護ダクトが接続できるので、その接続作業が容易となると共に、保護ダクトを構成する基台の端部（接続部）が壁面に密着していて、浮き上がらない（壁面との間に隙間が形成されない）利点がある。
【００２１】
【００２２】
【図面の簡単な説明】
【図１】  本発明に係る分岐接続具Ｊを用いて大きさの異なる２本の保護ダクトＤ1,Ｄ2 を接続した状態の斜視図である。
【図２】  同じく２本の保護ダクトＤ1,Ｄ2 の接続部分の拡大斜視図である。
【図３】  ２本の保護ダクトＤ1,Ｄ2 を接続する前の状態を示す斜視図である。
【図４】  分岐接続具Ｊを構成する第１接続具単体Ｊ1 を底面の側から見た斜視図である。
【図５】  ２本の保護ダクトＤ1,Ｄ2 の接続部分の縦断面図である。
【図６】  同じく横断面図である。
【図７】  第１接続具単体Ｊ1 に冷媒管Ｐが収容された状態の平面断面図である。
【図８】  同じ大きさの２本の保護ダクトＤ1 を第１接続具単体Ｊ1 のみを用いて接続する状態を示す斜視図である。
【図９】  同じく接続部の縦断面図である。
【符号の説明】
Ｃ1 ：第１接続部
Ｃ2 ：第２接続部
Ｃ3 ：第３接続部
Ｄ1,Ｄ2 ：冷媒管保護ダクト
Ｊ：分岐接続具
Ｊ1 ：第１接続具単体
Ｊ2 ：第２接続具単体
Ｐ：冷媒管
Ｗａ：壁面
５ａ，５ｂ：保護ダクトの冷媒管収容空間
１１：固定部
【図１】
0003710598.tif 000002
【図２】
0003710598.tif 000003
【図３】
0003710598.tif 000004
【図４】
0003710598.tif 000005
【図５】
0003710598.tif 000006
【図６】
0003710598.tif 000007
【図７】
0003710598.tif 000008
【図８】
0003710598.tif 000009
【図９】
0003710598.tif 000010